(57)【特許請求の範囲】
【請求項１】
浴槽の洗い場側側面に設けられる浴槽エプロンと浴槽エプロンの洗い場側に隣接して浴室壁に設けられカウンタ本体とカウンタエプロンを有するカウンタを備えた浴室構造において、
浴槽エプロンは、浴槽側に凹み点検口部を備えた凹部と凹部をカバーする外蓋を備えるとともに、凹部の上方に浴槽フランジの洗い場側端面と略同位置まで洗い場側に飛び出した凸部を備え、凸部の下端はカウンタ本体の下端と略同一高さに形成されており、外蓋はカウンタの浴槽側端面に重ならないように設けられており、カウンタエプロンの浴槽側端面が外蓋の洗い場側面よりも浴槽側に位置していることを特徴とする浴室構造。
【請求項２】
請求項１に記載の浴室構造であって、外蓋は第一外蓋と第二外蓋を備え、第一外蓋はカウンタエプロンの下方に設けられることを特徴とする浴室構造。
【発明の詳細な説明】
【技術分野】
【０００１】
本発明は、浴室構造に関するものである。
【背景技術】
【０００２】
従来、浴槽の洗い場側側面に設けられる浴槽エプロンと、浴槽エプロンの洗い場側に隣接して浴室壁に設けられカウンタと、を備えた浴室構造は知られている。
【０００３】
そのような浴室構造において、浴槽エプロンは、作業口を開口して左右方向へ延びるエプロン本体と、エプロン本体に着脱可能に取付けて作業口を覆う内蓋と、エプロン本体の一方側を覆う一方の外蓋と、一方の外蓋に隣接してエプロン本体の他方側を覆う着脱自在な他方の外蓋とを備え、一方の外蓋とカウンタの端部を重なるように、前後で対向させた構成が公知である（特許文献１参照）
【０００４】
また、バスエプロン、小型の第１エプロン部材と大型の第２エプロン部材とから分割形成されており、第１エプロン部材は、一部が洗い場カウンタの一側端の全体と干渉する位置に配置されており、第２エプロン部材は、全体が洗い場カウンタの一側端と干渉しない位置に配置され、第２エプロン部材を取り外してから、第１エプロン部材を、第２エプロン部材が外れたことにより形成されたスペースに移動させて洗い場カウンタが浴室の壁に取付けられた状態で着脱可能である構成が公知である（特許文献２参照）。
【０００５】
なお、浴室エプロンであって、２つの外蓋が、あたかもメガネのレンズのように互いに離れて設けられており、通常、メガネエプロンとも呼ばれている構成が知られている構成が知られている。
【先行技術文献】
【特許文献】
【０００６】
【特許文献１】特許第４９５６３８９号公報
【特許文献２】特許第５５７７６６３号公報
【発明の概要】
【発明が解決しようとする課題】
【０００７】
特許文献１記載の発明は、一方の外蓋とカウンタの端部とを、重なるように前後で対向させた構成であり、一方の外蓋は、他方の外蓋を外してから、横方向にずらす等して取り外す必要がある。
【０００８】
また、カウンタと一方の外蓋の当接箇所にコーキングを施すと、一方の外蓋を外す際には、コーキングを破断しなくてはならない。パッキンを貼ってもよいが、外蓋を横方向にずらして取り外す際に、剥がれてしまう等の問題がある。
【０００９】
また、特許文献２記載の発明では、第１エプロン部材は、一部が洗い場カウンタの一側端の全体と干渉する位置に配置されているので、第２エプロン部材を外して形成したスペースに移動ずらさないと外すことができない。
【００１０】
上記メガネエプロンについては、カウンタの浴室側端を外蓋に当接して設ける場合には、カウンタの奥行き寸法が大きくなったり、取付け高さが変更したりすると、その変更に応じた形状のメガネエプロンが必要となる。
【００１１】
本発明は、上記問題を解決することを目的とし、浴槽エプロンの点検口部を覆う２つの外蓋とカウンタを備えた浴室構造において、カウンタを取り外すことなく外蓋を取り外すことができ、メンテナンス等を簡便に行うことができる浴室構造を実現することを課題とする。
【課題を解決するための手段】
【００１２】
本発明は上記課題を解決するために、浴槽の洗い場側側面に設けられる浴槽エプロンと浴槽エプロンの洗い場側に隣接して浴室壁に設けられカウンタ本体とカウンタエプロンを有するカウンタを備えた浴室構造において、浴槽エプロンは、浴槽側に凹み点検口部を備えた凹部と凹部をカバーする外蓋を備えるとともに、凹部の上方に浴槽フランジの洗い場側端面と略同位置まで洗い場側に飛び出した凸部を備え、凸部の下端はカウンタ本体の下端と略同一高さに形成されており、外蓋はカウンタの浴槽側端面に重ならないように設けられており、カウンタエプロンの浴槽側端面が外蓋の洗い場側面よりも浴槽側に位置していることを特徴とする浴室構造を提供する
【００１４】
外蓋は第一外蓋と第二外蓋を備え、第一外蓋はカウンタエプロンの下方に設けられることが好ましい。
【発明の効果】
【００１５】
本発明によれば、外蓋はカウンタの浴槽側端面に重ならないように設けられており、カウンタエプロンの浴槽側端面が外蓋の洗い場側面よりも浴槽側に位置しているので、カウンタを取り外すことなく蓋を取り外すことができ、メンテナンス等を簡便に行うことができる。またカウンタエプロンを外蓋で下方から支持することができるので、カウンタのたわみを減少させることができる。
【図面の簡単な説明】
【００１６】
【図１】本発明に係る浴室構造の実施例を説明する図であり、（ａ）は浴室構造の要部の斜視図であり、（ｂ）は（ａ）におけるＢ−Ｂ断面図である。なお、（ａ）では示していないが（ｂ）では、浴槽の一部を点鎖線（想像線）で示す。
【図２】上記実施例を説明する図であり、（ａ）は第一外蓋を外した状態の浴室構造の要部の斜め下方から見た斜視図であり、（ｂ）は第一外蓋の正面図である。
【図３】上記実施例を説明する図であり、第一外蓋を取付けた状態の浴室構造の要部の斜め下方から見た斜視図である。
【発明を実施するための形態】
【００１７】
本発明に係る浴室構造を実施するための形態を実施例に基づき図面を参照して、以下説明する。
【００１８】
（実施例）
本発明に係る浴室構造の実施例を、図１〜図３を参照して以下説明する。本発明の浴室構造１は、図１に示すように、浴槽２の洗い場側側面に設けられる浴槽エプロン３と、浴槽エプロン３の洗い場側に隣接して浴室壁６に設けられるカウンタ７を備えている。
【００１９】
本明細書の説明では、浴室内で、浴槽２に向かって浴槽方向を浴槽側とし、浴槽２と反対の洗い場８の方向を洗い場側とする。また、本実施例では浴槽２に向かって右側の浴室壁６にカウンタ７が取り付けられており、カウンタ７に関する説明では、浴槽２に向かってカウンタ７の右側を浴室壁側とし、左側を洗い場側とする。
【００２０】
浴槽エプロン３は、図１（ａ）、図２（ａ）、図３に示すように、浴槽エプロン本体１１と外蓋１２を備えている。浴槽エプロン本体１１は、図１（ｂ）、図２（ａ）に示すように、上方に凸部１８を備え、下方に凹部２０を備えている。
【００２１】
凹部２０は、凸部１８より浴槽側に凹んでおり、点検口部１９（図２（ａ）参照）を備えている。凹部２０からみると、凸部１８は、凹部２０の上方に位置しており、図１（ｂ）に示すように、浴槽フランジ１３の洗い場側端面１４と略同位置まで洗い場側に飛び出して形成されている。        
【００２２】
カウンタ７は、図１（ａ）、図２（ａ）、図３に示すように、カウンタ本体２４（天板）とカウンタエプロン２５を備えている。カウンタ本体２４は、図１（ａ）に示すように、その洗い場側の側部には、浴室壁６側（図１では浴槽２に向かって右側）に向かい下方に傾斜した傾斜面２８が形成されている。
【００２３】
カウンタエプロン２５は、図１（ａ）、図２（ａ）、図３に示すように、カウンタ本体２４の底面から、下方に向けて浴室壁６側に傾斜した傾斜面２６と、傾斜面２６に連なる水平な底面２７と、を備えており、傾斜面２６の上端には、図１（ｂ）、図２（ａ）、図３に示すように、カウンタ本体２４の底面に一体化された水平なフランジ部２９が形成されている。
【００２４】
カウンタ本体２４は、図１（ｂ）、図２（ａ）に示すように、浴槽側に向けてカウンタエプロン２５より短く形成されている。カウンタ本体２４の浴槽側端面３０のうち、カウンタ本体２４の浴槽側端面３１は、浴槽エプロン３の凸部１８に当接し、カウンタエプロン２５の浴槽側端面３２は、浴槽エプロン３の凹部２０に当接するように構成されている。
【００２５】
カウンタ７は、浴槽エプロン３の凸部１８の下端３８（凹部２０の上端３９でもある）は、カウンタ本体２４の下端３３と略同一高さになるように、浴室壁６に取り付けられている。カウンタ本体２４の浴槽側端面３１及び浴槽側端面３２が凹部２０に当接している当接箇所の周縁３６には、コーキングを施してシールする。
【００２６】
浴槽エプロン３の点検口部１９（図２（ａ）参照）を覆って凹部２０をカバーする外蓋１２を備えており、外蓋１２は、図１（ａ）、図３に示すように、第一外蓋４６と第二外蓋４７を有する。外蓋１２における第一外蓋４６と第二外蓋４７のいずれもが、カウンタ７の浴槽側端面３０、即ちカウンタ本体の浴槽側端面３１及びカウンタエプロン２５の浴槽側端面３２に重ならない（干渉しない）ように設けられている。
【００２７】
第一外蓋４６は、図３に示すように、カウンタ７の下方に、浴槽エプロン本体１１の凹部２０に着脱可能に設けられている。そして、第一外蓋４６は、図２（ｂ）に示すように、正面視で、上部の台形部５１と下部の矩形部５２を一体で備えている。台形部５１は、上面部５３と傾斜面部５４を備え、傾斜面部５４の下端は、矩形部５２の上面部５５に連続している。
【００２８】
第一外蓋４６を浴槽エプロン３の凹部２０に取り付けた状態では、台形部５１の上面部５３には、図３に示すように、浴槽エプロン３の凹部２０に当接されたカウンエプロン２５のフランジ部２９が載置されている。         
【００２９】
そして、台形部５１の傾斜面部５４及び矩形部５２の上面部５５には、カウンタエプロン２５の傾斜面２６及び底面２７（正確には傾斜面２６及び底面２７の浴槽側の端部）が載置されている。これによって、カウンタ７における浴槽側の端部は、第一外蓋４６によって下方から支持される。
【００３０】
第二外蓋４７は、浴槽エプロン３の凹部２０に着脱可能に設けられている。具体的には、第二外蓋４７は、図１（ａ）、図２（ａ）、図３に示すように、浴槽２を正面側から見て、第一外蓋４６の左側に隣接し、かつ第二外蓋４７の上端６２が第一外蓋４６の上端（第一外蓋４６の台形部５１の上面部５３）と略同じ高さに設けられている。
【００３１】
しかも、第二外蓋４７は、カウンタ７の浴槽側端面３０、即ちカウンタ本体２４の浴槽側端面３１及びカウンタエプロン２５の浴槽側端面３２に重ならない（干渉しない）ように設けられている。カウンタエプロン２５の浴槽側端面３２は、外蓋１２の洗い場側の面（第一外蓋４６の洗い場側の面６０及び第二外蓋４７の洗い場側の面６１）よりも浴槽側に位置している。
【００３２】
（作用）
上記構成から成る実施例の浴室構造１の作用について、以下説明する。浴室構造１では、外蓋１２、即ち第一外蓋４６及び第二外蓋４７は、それぞれカウンタ７の浴槽側端面３０に重ならない構成であり、しかも、カウンタエプロン２５の浴槽側端面３２が、外蓋１２の洗い場側の面（第一外蓋４６の洗い場側の面６０及び第二外蓋４７の洗い場側の面６１）よりも浴槽側に位置し、浴槽エプロン３の凹部２０に当接している。
【００３３】
従って、カウンタ７と凹部２０の当接箇所の周縁３６にコーキングを施しても、コーキングを破断してカウンタ７を取り外すことなく、第一外蓋４６及び第二外蓋４７を外すことができるので、カウンタ７の水密性を損なうことなく、また再度コーキングを施すことなく、点検口部１９を露出して、点検、修理等のメンテナンスを簡便に行うことができる。
【００３４】
なお、従来の浴室構造のように、メンテナンスのために、外蓋１２を外す際に、第二外蓋４７を取り外してから第一外蓋４６をずらしながら取り外すようなことなく、第一外蓋４６及び第二外蓋４７のいずれからでも、単独に取り外すことも可能である。
【００３５】
カウンタエプロン２５は、その浴槽側の端部において、第一外蓋４６の台形部５１の上面部５３、傾斜面部５４及び矩形部５２の上面部５５によって下方から支持されている。従って、カウンタ７の浴槽側の端部に生じる撓みや変形を低減することが可能となる。
【００３６】
以上、本発明に係る浴室構造を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００３７】
本発明に係る浴室構造は上記のような構成であるから、浴槽エプロン及びカウンタを備えた各種の浴室に適用可能である。
【符号の説明】
【００３８】
１  浴室構造                                             
２  浴槽                                                 
３  浴槽エプロン                                         
６  浴室壁                                               
７  カウンタ                                             
８  洗い場                                               
１１  浴槽エプロン本体                                       
１２  外蓋                                                   
１３  浴槽フランジ                                           
１４  浴槽フランジの洗い場側端面    
１８  凸部                                                   
１９  点検口部                                               
２０  凹部                                                   
２４  カウンタ本体                                           
２５  カウンタエプロン                                       
２６  カウンタエプロンの傾斜面                               
２７  カウンタエプロンの底面                                 
２８  カウンタ本体の傾斜面                                   
２９  カウンタエプロンのフランジ部                           
３０  カウンタの浴槽側端面                                   
３１  カウンタ本体の浴槽側端面                               
３２  カウンタエプロンの浴槽側端面                           
３３  カウンタ本体の下端                                     
３６  カウンタ本体の浴槽側端面と凹部の当接箇所の周縁         
３８  凸部の下端                                             
３９  凹部の上端                                             
４６  第一外蓋                                               
４７  第二外蓋                                               
５１  第一外蓋の台形部                                       
５２  第一外蓋の矩形部                                       
５３  台形部の上面部                                         
５４  台形部の傾斜面部                                       
５５  矩形部の上面部                                         
６０  第一外蓋の洗い場側の面 
６１  第二外蓋の洗い場側の面
６２  第二外蓋の上端
【図１】
0006616144.tif 000002
【図２】
0006616144.tif 000003
【図３】
0006616144.tif 000004